【事件の表示】
　特願２０１６−５６８６７６「マルチプレクサ、およびマルチプレクサを備えるモバイル用通信機器」拒絶査定不服審判事件〔平成２７年１１月２６日国際公開、ＷＯ２０１５／１７６７３９、平成２９年　７月２０日国内公表、特表２０１７−５２０１６４、請求項の数（１０）〕について、次のとおり審決する。
【結　論】
　原査定を取り消す。
　本願の発明は、特許すべきものとする。
【理　由】
第１　手続の経緯
　本願は、平成２６年５月１９日を国際出願日とする出願であって、その手続の経緯の概要は以下のとおりである。
平成３０年　２月２２日付け　拒絶理由通知書
　　　　　　７月１９日　　　意見書・手続補正書
　　　　　１１月２６日付け　拒絶査定
平成３１年　３月２５日　　　審判請求・手続補正書
令和　元年１２月２３日付け　拒絶理由通知書
令和　２年　４月　３日　　　意見書・手続補正書
　　　　　　６月２３日付け　拒絶理由通知書（最後）
　　　　　　７月　２日　　　意見書・手続補正書
第２　本願発明
　本願の請求項１〜１０に係る発明（以下、それぞれ「本願発明１」〜「本願発明１０」といい、これらを総称して「本願発明」という。）は、令和２年７月２日付け手続補正書によって補正された特許請求の範囲に記載される以下のとおりのものであると認める。
「　　【請求項１】
　主信号経路における信号の送信又は受信および第２の信号経路における信号の送信又は受信をサポートしているマルチプレクサ（ＭＵＬ）であって、
　主ＴＸポート（ＴＸ−ＭＡ）および第２のＴＸポート（ＴＸ−２）を有する１つの送信（ＴＸ）側のハイブリッド（ＴＸ−Ｈ）と、
　主ＲＸポート（ＲＸ−ＭＡ）および第２のＲＸポート（ＲＸ−２）を有する１つの受信（ＲＸ）側のハイブリッド（ＲＸ−Ｈ）と、
　主アンテナポートおよび第２のアンテナポートを有する１つのアンテナ側のハイブリッド（ＡＮＴ−Ｈ）と、
　１つの第１のデュプレクサ（ＤＰＸ１）と、
　１つの第２のデュプレクサ（ＤＰＸ２）と、を備え、
　前記主ＴＸポート（ＴＸ−ＭＡ）、前記第２のＴＸポート（ＴＸ−２）、前記主ＲＸポート（ＲＸ−ＭＡ）、前記第２のＲＸポート（ＲＸ−２）、前記主アンテナポート、および前記第２のアンテナポートのうちのいずれか１つ以下がグラウンドに終端し、
　前記第１のデュプレクサ（ＤＰＸ１）は、前記ＴＸ側のハイブリッド（ＴＸ−Ｈ）を前記アンテナ側のハイブリッド（ＡＮＴ−Ｈ）に接続し、前記ＲＸ側のハイブリッド（ＲＸ−Ｈ）を前記アンテナ側のハイブリッド（ＡＮＴ−Ｈ）に接続しており、
　前記第２のデュプレクサ（ＤＰＸ２）は、前記ＴＸ側のハイブリッド（ＴＸ−Ｈ）を前記アンテナ側のハイブリッド（ＡＮＴ−Ｈ）に接続し、前記ＲＸ側のハイブリッド（ＲＸ−Ｈ）を前記アンテナ側のハイブリッド（ＡＮＴ−Ｈ）に接続しており、
　前記主ＴＸポート（ＴＸ−ＭＡ）は、前記主信号経路のＴＸ信号用に設けられ、前記主ＲＸポート（ＲＸ−ＭＡ）は、前記主信号経路のＲＸ信号用に設けられ、
　前記第２のＴＸポート（ＴＸ−２）は、前記第２の信号経路のＴＸ信号用に設けられ、前記第２のＲＸポート（ＲＸ−２）は、前記第２の信号経路のＲＸ信号用に設けられる、
ことを特徴とするマルチプレクサ。
　　【請求項２】
　前記第２のＴＸポート（ＴＸ−２）および前記第２のＲＸポート（ＲＸ−２）の１つは、５０Ωのインピーダンス素子を介してグラウンドに終端されていることを特徴とする、請求項１に記載のマルチプレクサ。
　　【請求項３】
　前記第２のＴＸポート（ＴＸ−２）及び前記第２のＲＸポート（ＲＸ−２）は、１つのＭＩＭＯ（Multiple Input Multiple Output）伝送系のポートであることを特徴とする、請求項１又は２に記載のマルチプレクサ。
　　【請求項４】
　前記主アンテナポートは、１つの主アンテナ（Ａ−ＭＡ）に接続されており、前記第２のアンテナポートは、１つのＭＩＭＯアンテナ（Ａ−２）に接続されていることを特徴とする、請求項１乃至３のいずれか１項に記載のマルチプレクサ。
　　【請求項５】
　前記主信号経路に１つの電力増幅器および１つの低雑音増幅器を備えることを特徴とする、請求項１乃至４のいずれか１項に記載のマルチプレクサ。
　　【請求項６】
　前記第２の信号経路に１つの電力増幅器および／または１つの低雑音増幅器を備えることを特徴とする、請求項１乃至５のいずれか１項に記載のマルチプレクサ。
　　【請求項７】
　ＴＸおよびＲＸ信号用の前記主信号経路、およびＴＸおよび／またはＲＸ信号用の前記第２の信号経路に、２つのデュプレクサ（ＤＰＸ１，ＤＰＸ２）が用いられていることを特徴とする、請求項１乃至６のいずれか１項に記載のマルチプレクサ。
　　【請求項８】
　請求項１乃至７のいずれか１項に記載のマルチプレクサ（ＭＵＬ）を備えることを特徴とする、モバイル通信機器（ＭＣＤ）。
　　【請求項９】
　１つの主アンテナ（Ａ−ＭＡ）および１つの第２のアンテナ（Ａ−２）を備えることを特徴とする、請求項８に記載のモバイル通信機器。
　　【請求項１０】
　１つのＲＦ集積回路（ＲＦ−ＩＣ）をさらに備え、当該ＲＦ集積回路（ＲＦ−ＩＣ）は、前記マルチプレクサ（ＭＵＬ）を介して、前記主アンテナ（Ａ−ＭＡ）および前記第２のアンテナ（Ａ−２）に接続されていることを特徴とする、請求項９に記載のモバイル通信機器。」
第３　引用文献
１　引用文献１の記載事項
　平成３０年１１月２６日付け拒絶査定及び令和元年１２月２３日付け拒絶理由通知書（以下、「当審拒絶理由通知書」という。）で引用された特表２０１４−５１１６２６号公報（以下、「引用文献１」という。）には、以下の事項が記載されている。
（１）「【技術分野】
【０００１】
　
本発明は、
増幅器モジュールに関する。
【背景技術】
【０００２】
　図１は、従来技術で知られた増幅器モジュールを示す。このモジュールは、２つの増幅器、２つの９０度ハイブリッドＨＹＢ１、ＨＹＢ２、および１つのデュプレクサＤＰＸ１を備える。さらに、この増幅器モジュールは、１つのアンテナポートＡＮＴ、１つの送信ポートＴＸおよび１つの受信ポートＲＸを備える。送信ポートＴＸは、９０°ハイブリッドＨＹＢ１の１つと直接接続されている。この９０°ハイブリッドＨＹＢ１は、送信ポートＴＸでの信号を２つの出力信号に分割し、この２つの出力信号は互いに相対的に９０°の位相シフトを有している。」
（２）「【０００８】
　図１のような回路での重要な問題は、アンテナでのいかなるミスマッチ（Fehlanpassung）も直ちに後段の回路に伝えられることである。
【０００９】
　増幅器をアンテナにマッチングすることは難しく、９０°ハイブリッドまたは２つの並列に動作される増幅器によりさらに大きな問題となり得る。アンテナのミスマッチは、さらに増幅器自体に対し好ましくない作用をもたらすこのため、両増幅器はアンテナインピーダンスのミスマッチに関して極めて堅固に設計されていなければならない。
【発明の概要】
【発明が解決しようとする課題】
【００１０】
　本発明の課題はしたがって、アンテナインピーダンスのミスマッチによる影響を大きく受けない増幅器モジュールを提供することである。
【課題を解決するための手段】
【００１１】
　この課題は請求項１に記載の増幅器モジュールによって解決される。本発明の有利な実施形態はその他の請求項に示されている。
【００１２】
　少なくとも１つの増幅器、１つのアンテナポート、１つの送信ポート、１つの受信ポート、および１つの回路装置を備えた増幅器モジュールが提示され、ここで回路装置は、少なくとも３つの９０°ハイブリッドを備え、これら９０°ハイブリッドのそれぞれが入力信号を２つの出力信号に分割し、この２つの出力信号は、互いに９０°の相対的位相シフトを有し、さらにアンテナポート、送信ポート、受信ポートは、それぞれ少なくとも１つの９０°ハイブリッドに接続されている。少なくとも増幅器の１つは、送信ポートと９０°ハイブリッドの１つとの間に直列に接続されている。
【００１３】
　本発明によるモジュールによって、アンテナへのミスマッチの作用を大幅に低減することができる。これに対応して、受信路での受信感度を著しく高めることができる。さらに、本発明による回路装置は、送信ポートと受信ポートの間の絶縁を改善する。」
（３）「【００４３】
　
本発明による回路は、たとえばＬＴＥ周波数帯域ＸＩおよびＶＩＩに用いられてよい。
（４）「【００６０】
　電源電圧変調を上述の増幅器モジュールの１つと共に用いることで、インピーダンスマッチング回路が不必要となる。これは、ハイブリッドとデュプレクサからなる回路それ自体が、電源電圧変調の要件を満たすインピーダンスマッチングの効果をもたらすからである。換言すれば、ハイブリッド/９０°ハイブリッドおよびデュプレクサからなる回路を有する、上述の増幅器モジュールの１つを設けることで、増幅器の終端抵抗は全く変化せず、これにより増幅器の負荷が最適にされ、アンテナでの反射によるＴＸ信号の改変が生じなくなる。この際、たとえば抵抗のようなインピーダンス素子を介して、ハイブリッドの接地された端子により、反射された信号を回避することができる。」
（５）「【００７１】
　図３は本発明による増幅器モジュールの第１の実施形態例を示す。
増幅器モジュールは、送信ポートＴＸ，アンテナポートＡＮＴ，および受信ポートＲＸを備える。このような回路装置はたとえばモバイル通信に使用することができる。
【００７２】
　選択は、通過帯域での放射電力と通過帯域外での減衰との比である。モバイル通信における非常に小さな受信電力のために、受信信号および送信信号の高い選択が重要である。
【００７３】
　もう１つの重要な要素は、アンテナインピーダンスのミスマッチの影響である。ユーザの相互作用によって、アンテナのインピーダンスが変化される。増幅器モジュールは、アンテナインピーダンスの変動にできる限り依存しないように構成されなければならない。
【００７４】
　
本発明による増幅器モジュールは、さらに２つのデュプレクサＤＰＸ１，ＤＰＸ２および３つの９０°ハイブリッドＨＹＢ１，ＨＹＢ２，ＨＹＢ３を備える。送信ポートＴＸは、１つの９０°ハイブリッドの１つの端子４に接続されている。
【００７５】
　端子５は、９０°ハイブリッドの入力信号に対しΦ2だけ位相シフトされた信号を出力する。端子６に出力される信号は、入力信号に対し角度Φ1だけ位相シフトされている。さらに、
９０°ハイブリッドの第４の端子７には、負荷インピーダンスが配設されており、
この負荷インピーダンスは、インピーダンスマッチングを行うものである。９０°ハイブリッドＨＹＢ１の端子５および６は、それぞれ１つの増幅器ＰＡ１，ＰＡ２と接続されている。増幅器ＰＡ１，ＰＡ２の出力は、またそれぞれ両デュプレクサＤＰＸ１，ＤＰＸ２と接続されている。
【００７６】
　
受信ポートＲＸも同様に、１つの９０°ハイブリッドＨＹＢ２と接続されており、ただしこの９０°ハイブリッドＨＹＢ２の端子８と接続されている。この９０°ハイブリッドの端子９，１０は、同様にそれぞれ両デュプレクサＤＰＸ１，ＤＰＸ２の１つと接続されている。９０°ハイブリッドＨＹＢ２の第４の端子１１は、負荷インピーダンスを介して接地されている。
アンテナポートＡＮＴは、１つの９０°ハイブリッドＨＹＢ３と接続されており、ただしこの９０°ハイブリッドの端子１２と接続されている。この９０°ハイブリッドＨＹＢ３の他の２つの端子１３，１４は、それぞれ１つのデュプレクサと接続されている。９０°ハイブリッドＨＹＢ３の第4の端子１５は、負荷インピーダンスを介して接地されている。
（６）図３
（７）引用発明
　前記（１）〜（６）によれば、引用文献１には、以下の発明（以下、「引用発明」という。）が記載されていると認められる。
「ＬＴＥ周波数帯域ＸＩおよびＶＩＩに用いられ、モバイル通信に使用することができる増幅器モジュールであって（【０００１】、【００４３】、【００７１】）、
　送信ポートＴＸ、アンテナポートＡＮＴ、および受信ポートＲＸを備え（【００７１】）、
　さらに２つのデュプレクサＤＰＸ１、ＤＰＸ２および３つの９０°ハイブリッドＨＹＢ１、ＨＹＢ２、ＨＹＢ３を備え（【００７４】）、
　送信ポートＴＸは、１つの９０°ハイブリッドＨＹＢ１の１つの端子４に接続され（【００７４】、図３）、
　９０°ハイブリッドＨＹＢ１の第４の端子７には、負荷インピーダンスが配設されており、この負荷インピーダンスは、インピーダンスマッチングを行うものであり（【００７５】、図３）、
　９０°ハイブリッドＨＹＢ１の端子５および６は、それぞれ１つの増幅器ＰＡ１、ＰＡ２と接続され、増幅器ＰＡ１、ＰＡ２の出力は、またそれぞれ両デュプレクサＤＰＸ１、ＤＰＸ２と接続され（【００７５】）、
　受信ポートＲＸは、１つの９０°ハイブリッドＨＹＢ２の端子８と接続されており、この９０°ハイブリッドＨＹＢ２の端子９、１０は、それぞれ両デュプレクサＤＰＸ１、ＤＰＸ２の１つと接続され、９０°ハイブリッドＨＹＢ２の第４の端子１１は、負荷インピーダンスを介して接地され（【００７６】）、
　アンテナポートＡＮＴは、１つの９０°ハイブリッドＨＹＢ３の端子１２と接続されており、この９０°ハイブリッドＨＹＢ３の他の２つの端子１３、１４は、それぞれデュプレクサＤＰＸ１、ＤＰＸ２と接続され、９０°ハイブリッドＨＹＢ３の第４の端子１５は、負荷インピーダンスを介して接地されている（【００７６】、図３）、
増幅器モジュール。」
２　引用文献２の記載事項
　当審拒絶理由通知書で引用された特開２０１４−７２８７４号公報（以下、「引用文献２」という。）には、以下の事項が記載されている。
「【背景技術】
【０００２】
　高速データ通信規格であるＬＴＥ（３．９Ｇ）では、ＭＩＭＯ（Multipleinput multiple output：複数アンテナ送受信）技術が採用されている。このＭＩＭＯは、複数のアンテナでゲータの送受信を行って高速化を図る無線ＬＡＮ（Local Area Network）技術である。このＭＩＭＯを用いたＬＴＥでは、下り通信時、メインアンテナおよびサブアンテナ２つのアンテナが用いられる。」
３　引用文献３の記載事項
　当審拒絶理由通知書で引用された特開２０１３−１１０６３８号公報（以下、「引用文献３」という。）には、以下の事項が記載されている。
（１）「【０００３】
　マルチポート電力増幅器は、小型化や低消費電力化を図る目的で、複数の信号を共通増幅する増幅器として用いられている。
　例えば、マルチポート電力増幅器は、環境が厳しい衛星通信等で使用され、限られた電力を有効利用している方式であって、空間分割多重方式により複数のアンテナを用いて通信容量を増加させている方式であるＭＩＭＯ方式などに適用されることがある。
　以下の特許文献１には、上記のフィードフォワード技術とマルチポート技術を用いているマルチポートフィードフォワード増幅器が開示されている。」
（２）「【０００５】
　ここで、理想的なマルチポート増幅器の動作を説明する。
　図１０（ａ）は２つの理想増幅器（１），（２）の両端に、理想９０度ハイブリッド回路（１），（２）が接続されているマルチポート増幅器である。
　Ｐｏｒｔ１から入力された周波数ｆ１の信号は、理想９０度ハイブリッド回路（１）を通過して、理想増幅器（１），（２）で増幅された後、理想９０度ハイブリッド回路（２）で合波されて、Ｐｏｒｔ４に出力される。
　一方、Ｐｏｒｔ２から入力された周波数ｆ２の信号は、理想９０度ハイブリッド回路（１）を通過して、理想増幅器（１），（２）で増幅された後、理想９０度ハイブリッド回路（２）で合波されて、Ｐｏｒｔ３に出力される。」
（３）図１０
第４　本願発明１と引用発明との対比
１　引用発明の「送信ポートＴＸ」、「アンテナポートＡＮＴ」及び「受信ポートＲＸ」は、それぞれ本願発明１の「主ＴＸポート（ＴＸ−ＭＡ）」、「主アンテナポート」及び「主ＲＸポート（ＲＸ−ＭＡ）」に相当する。
２　引用発明の「９０°ハイブリッドＨＹＢ１」、「９０°ハイブリッドＨＹＢ２」、「９０°ハイブリッドＨＹＢ３」、「デュプレクサＤＰＸ１」及び「デュプレクサＤＰＸ２」は、それぞれ本願発明１の「送信（ＴＸ）側のハイブリッド（ＴＸ−Ｈ）」、「受信（ＲＸ）側のハイブリッド（ＲＸ−Ｈ）」、「アンテナ側のハイブリッド（ＡＮＴ−Ｈ）」、「第１のデュプレクサ（ＤＰＸ１）」及び「第２のデュプレクサ（ＤＰＸ２）」に相当する。
３　引用発明において、９０°ハイブリッドＨＹＢ１の端子５は、増幅器ＰＡ１と接続され、増幅器ＰＡ１の出力は、デュプレクサＤＰＸ１と接続されており、さらに、９０°ハイブリッドＨＹＢ３の端子１３は、デュプレクサＤＰＸ１と接続されているから、引用発明の「デュプレクサＤＰＸ１」は、「９０°ハイブリッドＨＹＢ１」を「９０°ハイブリッドＨＹＢ３」に接続しているといえる。
　よって、本願発明１の「第１のデュプレクサ（ＤＰＸ１）」と引用発明の「デュプレクサＤＰＸ１」とは、「前記ＴＸ側のハイブリッド（ＴＸ−Ｈ）を前記アンテナ側のハイブリッド（ＡＮＴ−Ｈ）に接続し」ている点で一致する。
４　引用発明において、９０°ハイブリッドＨＹＢ２の端子９は、デュプレクサＤＰＸ１と接続されており、さらに、９０°ハイブリッドＨＹＢ３の端子１３は、デュプレクサＤＰＸ１と接続されているから、引用発明の「デュプレクサＤＰＸ１」は、「９０°ハイブリッドＨＹＢ２」を「９０°ハイブリッドＨＹＢ３」に接続しているといえる。
　よって、本願発明１の「第１のデュプレクサ（ＤＰＸ１）」と引用発明の「デュプレクサＤＰＸ１」とは、「前記ＲＸ側のハイブリッド（ＲＸ−Ｈ）を前記アンテナ側のハイブリッド（ＡＮＴ−Ｈ）に接続して」いる点で一致する。
５　引用発明において、９０°ハイブリッドＨＹＢ１の端子６は、増幅器ＰＡ２と接続され、増幅器ＰＡ２の出力は、デュプレクサＤＰＸ２と接続されており、さらに、９０°ハイブリッドＨＹＢ３の端子１４は、デュプレクサＤＰＸ２と接続されているから、引用発明の「デュプレクサＤＰＸ２」は、「９０°ハイブリッドＨＹＢ１」を「９０°ハイブリッドＨＹＢ３」に接続しているといえる。
　よって、本願発明１の「第２のデュプレクサ（ＤＰＸ２）」と引用発明の「デュプレクサＤＰＸ２」とは、「前記ＴＸ側のハイブリッド（ＴＸ−Ｈ）を前記アンテナ側のハイブリッド（ＡＮＴ−Ｈ）に接続し」ている点で一致する。
６　引用発明において、９０°ハイブリッドＨＹＢ２の端子１０は、デュプレクサＤＰＸ２と接続されており、さらに、９０°ハイブリッドＨＹＢ３の端子１４は、デュプレクサＤＰＸ２と接続されているから、引用発明の「デュプレクサＤＰＸ２」は、「９０°ハイブリッドＨＹＢ２」を「９０°ハイブリッドＨＹＢ３」に接続しているといえる。
　よって、本願発明１の「第２のデュプレクサ（ＤＰＸ２）」と引用発明の「デュプレクサＤＰＸ２」とは、「前記ＲＸ側のハイブリッド（ＲＸ−Ｈ）を前記アンテナ側のハイブリッド（ＡＮＴ−Ｈ）に接続して」いる点で一致する。
７　引用発明において、送信ポートＴＸに入力された信号は、９０°ハイブリッドＨＹＢ１の端子５及び６に分配され、それぞれの端子からの出力がそれぞれデュプレクサＤＰＸ１及びデュプレクサＤＰＸ２を介して９０°ハイブリッドＨＹＢ３の端子１３及び１４にそれぞれ入力され、９０°ハイブリッドＨＹＢ３の端子１２に合成されてアンテナポートＡＮＴに出力されるから、引用発明の送信ポートＴＸからアンテナポートＡＮＴに至る前記経路は、本願発明１の「主信号経路」に相当し、本願発明１と引用発明とは「主信号経路における信号の送信をサポートしている」点で一致する。
８　引用発明において、アンテナポートＡＮＴに入力された信号は、９０°ハイブリッドＨＹＢ３の端子１３及び１４に分配され、それぞれの端子からの出力がそれぞれデュプレクサＤＰＸ１及びデュプレクサＤＰＸ２を介して９０°ハイブリッドＨＹＢ２の端子９及び１０にそれぞれ入力され、９０°ハイブリッドＨＹＢ２の端子８に合成されて受信ポートＲＸに出力されるから、引用発明のアンテナポートＡＮＴから受信ポートＲＸに至る前記経路は本願発明１の「主信号経路」に相当し、本願発明１と引用発明とは「主信号経路における信号の受信をサポートしている」点で一致する。
９　前記７によれば、本願発明１と引用発明とは「前記主ＴＸポート（ＴＸ−ＭＡ）は、前記主信号経路のＴＸ信号用に設けられ」ている点で一致し、前記８によれば、本願発明１と引用発明とは「前記主ＲＸポート（ＲＸ−ＭＡ）は、前記主信号経路のＲＸ信号用に設けられ」ている点で一致する。
１０　引用発明の各ハイブリッドの残りのポートである「端子７」、「端子１１」及び「端子１５」は、いずれも負荷インピーダンスを介して接地されるものである点で、本願発明１の「第２のＴＸポート（ＴＸ−２）」、「第２のＲＸポート（ＲＸ−２）」及び「第２のアンテナポート」とは異なるものである。
１１　引用発明の「増幅器モジュール」と本願発明１の「マルチプレクサ」とは、「電子回路」である点で共通するが、本願発明１の「マルチプレクサ」は、送信信号と受信信号を二重化した上で、２系統（主信号経路及び第２の信号経路）の信号を多重化しているのに対し、引用発明の「増幅器モジュール」にはそのような多重化の機能はなく、送信信号と受信信号を二重化しているに過ぎない。
１２　前記１〜１１によれば、本願発明１と引用発明との一致点及び相違点は、以下のとおりである。
〈一致点〉
「　主信号経路における信号の送信又は受信をサポートしている電子回路であって、
　主ＴＸポート（ＴＸ−ＭＡ）を有する１つの送信（ＴＸ）側のハイブリッド（ＴＸ−Ｈ）と、
　主ＲＸポート（ＲＸ−ＭＡ）を有する１つの受信（ＲＸ）側のハイブリッド（ＲＸ−Ｈ）と、
　主アンテナポートを有する１つのアンテナ側のハイブリッド（ＡＮＴ−Ｈ）と、
　１つの第１のデュプレクサ（ＤＰＸ１）と、
　１つの第２のデュプレクサ（ＤＰＸ２）と、を備え、
　前記第１のデュプレクサ（ＤＰＸ１）は、前記ＴＸ側のハイブリッド（ＴＸ−Ｈ）を前記アンテナ側のハイブリッド（ＡＮＴ−Ｈ）に接続し、前記ＲＸ側のハイブリッド（ＲＸ−Ｈ）を前記アンテナ側のハイブリッド（ＡＮＴ−Ｈ）に接続しており、
　前記第２のデュプレクサ（ＤＰＸ２）は、前記ＴＸ側のハイブリッド（ＴＸ−Ｈ）を前記アンテナ側のハイブリッド（ＡＮＴ−Ｈ）に接続し、前記ＲＸ側のハイブリッド（ＲＸ−Ｈ）を前記アンテナ側のハイブリッド（ＡＮＴ−Ｈ）に接続しており、
　前記主ＴＸポート（ＴＸ−ＭＡ）は、前記主信号経路のＴＸ信号用に設けられ、前記主ＲＸポート（ＲＸ−ＭＡ）は、前記主信号経路のＲＸ信号用に設けられる
ことを特徴とする電子回路。」である点。
〈相違点〉
　本願発明１は、「送信（ＴＸ）側のハイブリッド（ＴＸ−Ｈ）」が「第２のＴＸポート（ＴＸ−２）」を有し、「受信（ＲＸ）側のハイブリッド（ＲＸ−Ｈ）」が「第２のＲＸポート（ＲＸ−２）」を有し、「アンテナ側のハイブリッド（ＡＮＴ−Ｈ）」が「第２のアンテナポート」を有し、「前記主ＴＸポート（ＴＸ−ＭＡ）、前記第２のＴＸポート（ＴＸ−２）、前記主ＲＸポート（ＲＸ−ＭＡ）、前記第２のＲＸポート（ＲＸ−２）、前記主アンテナポート、および前記第２のアンテナポートのうちのいずれか１つ以下がグラウンドに終端し」ており、「前記第２のＴＸポート（ＴＸ−２）は、前記第２の信号経路のＴＸ信号用に設けられ」、「前記第２のＲＸポート（ＲＸ−２）は、前記第２の信号経路のＲＸ信号用に設けられる」ことで、第２の信号経路が形成され、「第２の信号経路における信号の送信又は受信」をサポートする「マルチプレクサ（ＭＵＬ）」として機能するのに対し、
　引用発明は、「９０°ハイブリッドＨＹＢ１」が「端子７」を有し、「９０°ハイブリッドＨＹＢ２」が「端子１１」を有し、「９０°ハイブリッドＨＹＢ３」が「端子１５」を有するものの、これらの端子はＴＸポート、ＲＸポート及びアンテナポートのいずれでもなく、前記各端子のいずれもが負荷インピーダンスを介して接地されているため、本願発明１の「第２の信号経路」に相当する経路は存在せず、したがって、引用発明の「増幅器モジュール」はマルチプレクサとしては機能しない点。
第５　相違点についての判断
１　引用発明は「ＬＴＥ周波数帯域ＸＩおよびＶＩＩに用いられ、モバイル通信に使用することができる増幅器モジュール」であるところ、ＬＴＥ規格においてＭＩＭＯ技術が採用され、メインアンテナ及びサブアンテナの２つのアンテナが用いられることは周知であり（例えば、前記第３、２を参照。）、加えて、ＭＩＭＯ方式に適用される２系統の信号を増幅するマルチポート増幅器として、２つの増幅器の両端に９０度ハイブリッド回路が接続されたものが周知であり（例えば、第３、３を参照。）、さらに、前記周知のマルチポート増幅器の回路が、引用発明の９０°ハイブリッドＨＹＢ１、増幅器ＰＡ１及びＰＡ２並びに９０°ハイブリッドＨＹＢ３からなる回路と等価であることに鑑みれば、引用発明の「端子７」、「端子１１」及び「端子１５」から負荷インピーダンスを取り除いて接地しないようにし、それぞれの端子を送信ポート、受信ポート及びアンテナポートとして機能させることで、増幅器モジュール全体をマルチプレクサとして２つの信号経路における信号の送信又は受信をサポートするよう機能させることへの動機付けは、皆無であるとはいえない。
２　しかしながら、引用発明が解決しようとする課題は「アンテナインピーダンスのミスマッチによる影響を大きく受けない増幅器モジュールを提供すること」（【０００９】）であり、該ミスマッチは「ユーザの相互作用によって、アンテナのインピーダンスが変化」（【００７３】）することに起因すると理解されるところ、引用発明の各端子を「負荷インピーダンス」を介して接地することは、前記ミスマッチの影響を軽減するための一手段であると認められる（【００６０】、【００７５】）。
　そうすると、引用発明において「端子７」、「端子１１」及び「端子１５」から負荷インピーダンスを取り除いて接地しないようにすることは、引用発明が解決しようとする課題に反する。
３　前記１及び２に鑑みて総合的に判断すると、引用発明において「端子７」、「端子１１」及び「端子１５」から負荷インピーダンスを取り除いて接地しないように改変することにはある程度の動機付けが存在する（前記１）ものの、そのような改変は引用発明の所期の課題を解決することに反するものであり（前記２）、引用発明の所期の課題を無視すべき特段の事情が見当たらない以上、該課題の解決を放棄してまで該改変を採用するほどの動機付けは存在しないといえる。
　以上によれば、本願発明１は、引用発明及び周知技術から容易になし得るものではない。
第６　本願発明２〜１０についての判断
　本願発明２〜１０は、いずれも本願発明１の従属発明であり、本願発明１の発明特定事項を全て含む。そうすると、本願発明２〜１０と引用発明との相違点には、前記第４、１２に示した相違点が含まれる。
　前記相違点についての判断は前記第５のとおりであるから、本願発明２〜１０は、本願発明１と同様に、引用発明及び周知技術から容易になし得るものではない。
第７　原査定の概要及び原査定についての判断
　原査定には、「●理由２（特許法第２９条第１項第３号）について」との記載があるが、備考欄の結論部分に「したがって、先の拒絶理由に示した引用文献１に基づいて、補正後の請求項１−１４に係る発明とすることは、当業者が容易に想到し得たことであると認められる。」と記載されていること、及び、平成３０年２月２２日付け拒絶理由通知書に記載された理由２が進歩性欠如の拒絶理由であることから、原査定の理由は、請求項１〜１４に係る発明は、前記引用文献１に記載された発明に基いて、その出願前にその発明の属する技術の分野における通常の知識を有する者が容易に発明をすることができたものであるから、特許法第２９条第２項の規定により特許を受けることができない、というものであると認められる。
　しかしながら、前記第５のとおりであるから、原査定を維持することはできない。
第８　当審拒絶理由について
１　特許法３６条６項１号について
　当審では、当審拒絶理由通知書で、本願発明が解決しようとする課題を「ＲＸダイバーシティ又はＲＸ　ＭＩＭＯ機能を組み込み、かつ、少数の電子部品で構成され、小さなサイズを達成し、良好な電気特性を持ったモバイル通信機器に使用できるデュプレクサ回路ないしマルチプレクサ回路を提供し、この回路によりモバイル通信用機器を改善すること」であると認定した上で、本願発明は主アンテナポート又は第２のアンテナポートのいずれかをグラウンドに終端した場合に、ＲＸダイバーシティ又はＲＸ　ＭＩＭＯ機能を組み込むことができなくなるから、本願発明は前記課題を解決することができると認識できないとの拒絶の理由を通知した。
　これに対し、審判請求人は、令和２年４月３日付け意見書にて、「本願請求項に係る発明の目的は、ＲＸダイバーシティ機能と、ＲＸ　ＭＩＭＯ機能と、更なる別の通信規格と、のいずれにも適合できるモバイル通信機器用の回路を、すでに達成されている幾何形状的なコンパクトさと、良好な電気的特性とを損なうことなく、実現するところにあります。／このように、本願請求項に係る発明は、ＲＸ　ＭＩＭＯ機能に適合するだけではなく、他の通信規格にも適合するものであるから、ＲＸ　ＭＩＭＯ機能を組み込まない構成を含むことは当然のことであります。」（２頁、「／」は改行を表す。）と主張した。
　以上の経緯に鑑みると、本願明細書の「必要とされているものはモバイル通信機器に使用することができる回路であり、この回路は上記の規格に適合し、」（【０００７】）との記載における「上記の規格に適合」とは、ＷＣＤＭＡがサポートするＲＸダイバーシティ機能やＬＴＥ規格により必須となるＲＸ　ＭＩＭＯ機能（【０００５】）を本願発明が同時に実現することを要求するものではなく、本願発明が前記機能を選択的に実現可能であることを要求するに過ぎない、と理解できる。
　前記理解によれば、本願発明が課題を解決できることは明らかであるから、前記拒絶の理由はない。
２　特許法３６条６項２号について
（１）当審拒絶理由通知書で、請求項１及び３〜１１の「主信号経路」及び「第２の信号経路」がどの部分に該当するのかが明らかでないとの拒絶の理由を通知したが、令和２年７月２日付けの補正（以下、「本件補正」という。）の結果、前記拒絶の理由はない。
（２）当審拒絶理由通知書で、請求項８〜１１の「前記主伝送系」及び「前記第２の伝送系」は前記されていないため、これらが何を指しているのかが不明であるとの拒絶の理由を通知したが、本件補正の結果、前記拒絶の理由はない。
（３）当審は、令和２年６月２３日付け拒絶理由通知書で、請求項１〜１０の「前記第２のＴＸポート（ＴＸ−ＭＡ）」及び「前記第２のＲＸポート（ＲＸ−ＭＡ）」が何を指しているのか不明であり、「・・・に設けられ、／　ことを特徴とするマルチプレクサ。」（「／」は改行を表す。）との記載が日本語として不自然であるとの拒絶の理由を通知したが、本件補正の結果、前記拒絶の理由はない。
３　特許法２９条２項について
　当審拒絶理由通知書にて、請求項１〜１１に係る発明は、前記引用文献１に記載された発明及び周知技術（前記引用文献２及び３）に基いて、当業者が容易に発明をすることができたものであるとの拒絶の理由を通知したが、これについては、前記第５及び第６のとおり、理由がない。
第９　むすび
　前記第５及び第６のとおり、本願発明は、当業者が引用発明及び周知技術に基づいて容易に発明をすることができたものではない。
　前記第７のとおり、原査定の理由によっては、本願を拒絶することはできない。
　前記第８のとおり、本願発明には、当審が通知した拒絶の理由がない。
　また、他に本願を拒絶すべき理由を発見しない。
　よって、結論のとおり審決する。